(57)【要約】【課題】複数の表示部による表示において、駆動に係る構成を簡単にしながら少ない書き換え回数を実現する。【解決手段】駆動装置１００は、表示部１３Ａ及び１３Ｂを駆動する。表示部１３Ａ及び１３Ｂは、記憶性表示体により画像を表示するものであり、電圧印加後は電圧が印加されないでも画素の階調を維持する。表示部１３Ａは、表示部１３Ｂに表示された画像の写しであるコピー画像を表示する。使用者は、コピー画像を表示する場合、表示部１３Ｂの所望の位置を指示する。検知部１５は、使用者による指示位置を検知し、駆動部１２は、指示位置の画像を画像メモリー１４Ｂから読み出して表示部１３Ａに表示させる。【選択図】図３
2010176057.tif 000002
【特許請求の範囲】
【請求項１】
記憶性表示体により画像を表示する表示領域を有する第１の表示部及び第２の表示部を
駆動する駆動装置であって、
前記第１の表示部及び第２の表示部のいずれかを選択する選択部と、
前記選択部により選択された表示部を駆動して画像を表示させる駆動部と、
前記第２の表示部の表示領域のうちの指示された領域である指示領域を特定する指示領
域特定部とを備え、
前記選択部が、前記指示領域特定部による特定に応じて前記第１の表示部を選択し、
前記駆動部が、前記選択部により前記第１の表示部が選択された場合に、前記第２の表
示部の表示領域のうちの前記指示領域に表示されている画像を前記第１の表示部の表示領
域にコピー画像として表示させる
ことを特徴とする駆動装置。
【請求項２】
前記第１の表示部の表示領域のうちの前記コピー画像が表示されていない領域である未
表示領域を特定する未表示領域特定部を備え、
前記駆動部が、前記選択部により前記第１の表示部が選択された場合に、当該第１の表
示部のうちの前記未表示領域を部分的に駆動し、前記特定部により特定された領域に表示
されている画像を当該未表示領域に表示させる
ことを特徴とする請求項１に記載の駆動装置。
【請求項３】
前記第１の表示部が表示する画像を記憶する第１の画像メモリーと、
前記第２の表示部が表示する画像を記憶する第２の画像メモリーとを備え、
前記駆動部が、
前記第１の表示部に画像を表示する場合のモードとして第１のモードと第２のモードと
を有し、
前記第１のモードにおいて、前記第１の画像メモリーに記憶された画像を読み出して表
示し、
前記第２のモードにおいて、前記第２の画像メモリーに記憶された画像のうちの前記特
定部により特定された領域に表示される画像を読み出して表示する
ことを特徴とする請求項１又は２に記載の駆動装置。
【請求項４】
請求項１ないし３のいずれかに記載の駆動装置と、請求項１に記載の第１の表示部及び
第２の表示部とを備えることを特徴とする表示装置。
【発明の詳細な説明】
【技術分野】
【０００１】
本発明は、記憶性表示体により画像を表示する表示装置の駆動技術に関する。
【背景技術】
【０００２】
元の文書から必要な部分を抜き出して編集し、新たな文書を生成する技術がある（例え
ば、特許文献１参照）。
【先行技術文献】
【特許文献】
【０００３】
【特許文献１】特開２００５−２６９１３６号公報
【発明の概要】
【発明が解決しようとする課題】
【０００４】
元の文書と新たな文書とをともに表示する場合に、２つの表示装置を用いると、表示部
とその駆動に係る構成とを表示装置毎に要するのが普通である。また、かかる場合に、１
つの表示装置の表示領域を２つの領域に分割し、一方の領域に元の文書を表示し、他方の
領域に新たな文書を表示すると、一方の領域を書き換える場合に他方の領域も書き換える
必要が生じるのが普通である。
そこで、本発明は、複数の表示部による表示において、駆動に係る構成を簡単にしなが
ら少ない書き換え回数を実現することを目的とする。
【課題を解決するための手段】
【０００５】
本発明に係る駆動装置は、記憶性表示体により画像を表示する表示領域を有する第１の
表示部及び第２の表示部を駆動する駆動装置であって、前記第１の表示部及び第２の表示
部のいずれかを選択する選択部と、前記選択部により選択された表示部を駆動して画像を
表示させる駆動部と、前記第２の表示部の表示領域のうちの指示された領域である指示領
域を特定する指示領域特定部とを備え、前記選択部が、前記指示領域特定部による特定に
応じて前記第１の表示部を選択し、前記駆動部が、前記選択部により前記第１の表示部が
選択された場合に、前記第２の表示部の表示領域のうちの前記指示領域に表示されている
画像を前記第１の表示部の表示領域にコピー画像として表示させることを特徴とする。こ
の構成によれば、単一の駆動装置で２つの表示部を駆動することができる。
【０００６】
本発明に係る駆動装置においては、前記第１の表示部の表示領域のうちの前記コピー画
像が表示されていない領域である未表示領域を特定する未表示領域特定部を備え、前記駆
動部が、前記選択部により前記第１の表示部が選択された場合に、当該第１の表示部のう
ちの前記未表示領域を部分的に駆動し、前記特定部により特定された領域に表示されてい
る画像を当該未表示領域に表示させる構成を採用してもよい。この構成によれば、第１の
表示部の表示領域の全体を駆動する場合に比べ、駆動する領域を少なくすることができる
。
【０００７】
本発明に係る駆動装置においては、前記第１の表示部が表示する画像を記憶する第１の
画像メモリーと、前記第２の表示部が表示する画像を記憶する第２の画像メモリーとを備
え、前記駆動部が、前記第１の表示部に画像を表示する場合のモードとして第１のモード
と第２のモードとを有し、前記第１のモードにおいて、前記第１の画像メモリーに記憶さ
れた画像を読み出して表示し、前記第２のモードにおいて、前記第２の画像メモリーに記
憶された画像のうちの前記特定部により特定された領域に表示される画像を読み出して表
示する構成を採用してもよい。この構成によれば、第２のモードにおいて、第１の画像メ
モリーの読み出しや書き換えを行わずに第１の表示部を書き換えることができる。
【０００８】
なお、本発明は、上述した駆動装置並びに第１の表示部及び第２の表示部を備える表示
装置としても特定され得る。
【図面の簡単な説明】
【０００９】
【図１】表示装置の外観を示す図
【図２】指示領域の指定方法を例示する図
【図３】表示装置のハードウェア構成を示すブロック図
【図４】記憶性表示体を示す図
【図５】制御部が実現する機能を示す機能ブロック図
【図６】表示装置を詳細に示す図
【図７】表示装置が実行する処理を示すフローチャート
【図８】表示装置による表示を例示する図
【発明を実施するための形態】
【００１０】
［実施形態］
図１は、本発明の一実施形態である表示装置の外観を示す図である。本実施形態の表示
装置１０は、同図に示すように、２つの表示部１３Ａ及び１３Ｂを備え、各々が独立に表
示パネル（表示面）を備える。本実施形態において、表示部１３Ａは、表示部１３Ｂによ
る表示の補助的な表示を行う表示領域を有する。表示部１３Ｂは、複数ページの文書を表
す画像を１ページずつ表示するものであり、表示部１３Ａは、表示部１３Ｂに表示された
画像のうちの使用者に指示された領域の画像を抜き出して表示するものである。表示装置
１０は、表示部１３Ａと表示部１３Ｂとの間で折り畳み可能な構成であってもよい。表示
部１３Ａは、本発明における第１の表示部に相当し、表示部１３Ｂは、本発明における第
２の表示部に相当する。
【００１１】
表示装置１０は、複数の操作子１７１を備える。操作子１７１は、使用者が押下等の選
択操作を行うためのものである。操作子１７１は、典型的にはボタン状であるが、その他
の形状であることを妨げない。なお、使用者による操作には、表示装置１０の電源のオン
／オフを切り換える操作や、ページめくり（ページを進めたり、あるいは戻したりするこ
と）の操作が含まれる。
【００１２】
また、表示装置１０は、指示具２０とともに用いられる。指示具２０は、例えばペン様
の器具であり、使用者が手に持ちながら表示部１３Ｂの表示領域を指示できる構造を有す
る。表示装置１０は、この指示具２０により指示された指示位置を特定できるように構成
されており、この指示位置に基づいて指示領域を特定する。本実施形態において、使用者
が指示領域を指定する方法は、複数あるが、いずれを用いてもよい。
【００１３】
図２は、指示領域の指定方法を例示する図であり、図中のハッチングを付した領域が指
示領域を表している。使用者は、図２（ａ）に示すように、所定の図形を描く動作を行う
ことで、その図形内部を指示領域として指定することができる。また、使用者は、図２（
ｂ）に示すように、長方形の対向する２点（Ｐ1及びＰ2）を指定することで、この長方形
に相当する領域を指示領域として指定することもできる。なお、指示領域の指定方法は、
指示した１点から所定の範囲内の領域を指示領域とするものであってもよい。
【００１４】
また、表示装置１０が表示領域の各位置に表示されている画像と指示位置との対応付け
を認識する機能を有する場合にあっては、指示位置を含む文字や画像の全体を指示領域と
する指定方法を採用してもよい。図２（ｃ）は、この指定方法を例示する図であり、文字
「Ａ」の近傍の適当な位置を指示することにより文字「Ａ」の全体を指示領域とみなすも
のである。
【００１５】
図３は、表示装置１０のハードウェア構成を示すブロック図である。表示装置１０は、
上述した表示部１３Ａ及び１３Ｂに加え、制御部１１と、駆動部１２と、画像メモリー１
４Ａ及び１４Ｂと、検知部１５と、記憶部１６と、操作部１７とを備える。制御部１１は
、ＣＰＵ（Central Processing Unit）等の演算処理装置やメモリーを備え、あらかじめ
記憶されたプログラムを実行することにより表示装置１０の動作を制御する。駆動部１２
は、表示部１３Ａ及び１３Ｂを駆動するための駆動回路を備え、表示部１３Ａ及び１３Ｂ
に画像を表示させる。画像メモリー１４Ａ及び１４Ｂは、画像データを記憶する書き換え
可能なメモリーであり、１ページ分の画像データを画素単位で記憶する記憶領域を有する
。画像メモリー１４Ａは、表示部１３Ａに表示される画像を表す画像データを記憶し、画
像メモリー１４Ｂは、表示部１３Ｂに表示される画像を表す画像データを記憶する。画像
メモリー１４Ａは、本発明における第１の画像メモリーに相当し、画像メモリー１４Ｂは
、本発明における第２の画像メモリーに相当する。
制御部１１、駆動部１２並びに画像メモリー１４Ａ及び１４Ｂは、駆動装置１００を構
成する。すなわち、本実施形態の表示装置１０は、１つの駆動装置により２つの表示部を
駆動するものである。
【００１６】
検知部１５は、表示部１３Ｂの表示領域について使用者により指示された指示位置を検
知し、その検知結果を制御部１１に供給する。検知部１５は、例えば、いわゆるタッチス
クリーンにより表示部１３Ｂの表示領域表面における接触（あるいは物体の接近）を検知
するものである。なお、検知部１５は、指示具２０が電磁波（光を含む。）を放射する構
成である場合には、電磁波を検知することにより指示位置を検知するものであってもよい
。記憶部１６は、複数ページ分の画像データを記憶するメモリーを備える。記憶部１６は
、いわゆるメモリーカードのように、表示装置１０に対して着脱可能な構成であってもよ
い。操作部１７は、上述した複数の操作子１７１を備え、使用者の操作を表す操作情報を
制御部１１に供給する。
【００１７】
表示部１３Ａ及び１３Ｂは、記憶性表示体により画像を表示する。ここにおいて、記憶
性とは、電圧が印加された場合にその電圧に応じた階調を呈するとともに、電圧の印加後
であって電圧が印加されない状態においても表示した階調を維持しようとする表示体の性
質をいうものであって、双安定性又は不揮発性ともいう。記憶性表示体としては、例えば
、電気泳動素子やコレステリック液晶による表示体を用いることができる。
【００１８】
図４は、記憶性表示体の一例であり、マイクロカプセル型の電気泳動素子による表示体
を示す図である。同図に示す記憶性表示体は、共通電極１３１と、複数のマイクロカプセ
ルが封入された表示層１３２と、ＴＦＴバックプレーン１３３とを備えるアクティブマト
リックス型の表示体である。共通電極１３１は、例えば、ＩＴＯ（Indium Tin Oxide）に
より形成される透明の電極である。マイクロカプセルは、ある極性（プラス又はマイナス
の一方）に帯電された黒色の微粒子と、黒色の微粒子と逆の極性（プラス又はマイナスの
他方）に帯電された白色の微粒子とを封入するとともに、絶縁性を有する分散媒を充填し
た球状の粒子であり、印加された電圧に応じて微粒子を移動させ、当該電圧に応じた階調
を呈する。ＴＦＴバックプレーン１３３は、ガラス基板上にＴＦＴ（Thin Film Transist
or）により構成されたスイッチング素子を走査線とデータ線の交差に対応して備え、各々
の交差部分が画素として機能する。なお、本実施形態の表示部１３Ａ及び１３Ｂは、文字
や図形を表示できる程度の画素数を少なくとも有する。
【００１９】
図５は、制御部１１が実現する機能を示す機能ブロック図である。制御部１１は、選択
部１１１、指示領域特定部１１２、操作特定部１１３、メモリー制御部１１４、未表示領
域特定部１１５及び駆動制御部１１６に相当する機能を実現する。選択部１１１は、表示
部１３Ａ又は１３Ｂのいずれかを排他的に選択する機能を有する。選択部１１１は、選択
された表示パネルが表示部１３Ａ又は１３Ｂのいずれであるかを識別するパネル選択信号
を供給し、表示部１３Ａ又は１３Ｂのいずれかを書き換え可能な状態（以下、この状態の
ことを「アクティブ」という。）にさせる。
【００２０】
指示領域特定部１１２は、検知部１５による検知結果に基づき、表示部１３Ｂの表示領
域のうちの使用者が指示具２０により指示した指示領域を特定する機能を有する。操作特
定部１１３は、操作情報に基づいて使用者の操作を特定する機能を有する。操作特定部１
１３は、表示部１３Ｂに関するページめくりの操作を特定する。
【００２１】
メモリー制御部１１４は、画像メモリー１４Ａ及び１４Ｂ並びに記憶部１６にアクセス
し、これらのメモリーに対するデータの書き込み及び読み出しを制御する機能を有する。
メモリー制御部１１４は、記憶部１６に記憶された画像データを画像メモリー１４Ａ又は
１４Ｂに書き込む場合に、必要に応じてレンダリング等の画像処理を実行する機能も有す
る。また、メモリー制御部１１４は、表示に用いられる画像データが画像メモリー１４Ａ
及び１４Ｂのいずれに記憶されているかを識別するメモリー選択信号を供給する。さらに
、メモリー制御部１１４は、画像データのページを認識する機能を有し、画像メモリー１
４Ａ及び１４Ｂに書き込まれている画像データのページやその前後のページの画像データ
を認識する。
【００２２】
未表示領域特定部１１５は、表示部１３Ａの表示領域のうちの後述するコピー画像が表
示されていない領域（以下、「未表示領域」という。）を特定する機能を有する。未表示
領域特定部１１５は、この未表示領域を表す未表示領域情報を記憶し、未表示領域が変更
されると未表示領域情報を更新する。駆動制御部１１６は、駆動部１２の駆動を制御する
機能を有する。駆動制御部１１６は、駆動部１２の動作の契機を表すトリガー信号を駆動
部１２に供給する。また、駆動制御部１１６は、表示部１３Ｂの表示内容をコピーして表
示部１３Ａに表示させる場合に、コピーする領域を表す領域選択信号を駆動部１２に供給
する。
【００２３】
図６は、表示装置１０のうちの特に駆動装置１００に相当する部分を詳細に示す図であ
る。表示装置１０は、画像メモリー１４Ａと導通するＡＮＤ回路１８１Ａと、画像メモリ
ー１４Ｂと導通するＡＮＤ回路１８１Ｂとを備える。ＡＮＤ回路１８１Ａ及び１８１Ｂの
入力信号の一方は、画像メモリー１４Ａ又は１４Ｂに記憶された画像データであり、他方
は、制御部１１から供給されるメモリー選択信号である。ＡＮＤ回路１８１Ａ及び１８１
Ｂは、いずれかが排他的にオンになるように構成されている。同図に示す構成は、メモリ
ー選択信号が“Ｌｏ”である場合にＡＮＤ回路１８１Ａの出力が有効となり、メモリー選
択信号が“Ｈｉ”である場合にＡＮＤ回路１８１Ｂの出力が有効となるものである。ＡＮ
Ｄ回路１８１Ａ又は１８１Ｂの出力信号は、ＯＲ回路１８２を介して駆動部１２に供給さ
れる。
【００２４】
駆動部１２は、ドライバー１２１と、マスカー１２２と、シフター１２３とを備える。
ドライバー１２１は、表示部１３Ａ又は１３Ｂのいずれかの走査線を選択しながらデータ
線に画像データを供給する。ドライバー１２１は、制御部１１からトリガー信号が供給さ
れた場合に動作し、それ以外の場合には動作しない。表示部１３Ａ及び１３Ｂは、記憶性
表示体により画像を表示するため、一旦画像が表示されたら、その後は電圧が印加されな
いでも同じ画像を表示し続ける。マスカー１２２は、画像データのうちの必要な部分を抽
出し、不要な部分をマスクするための回路であり、シフター１２３は、マスカー１２２に
より抽出された画像データのメモリアドレスをシフトさせるための回路である。マスカー
１２２及びシフター１２３は、画像メモリー１４Ｂに記憶された画像データを表示部１３
Ａに供給するときに用いられる。
【００２５】
また、表示装置１０は、ＡＮＤ回路１８３Ａ、１８３Ｂ、１８４Ａ及び１８４Ｂを備え
る。ＡＮＤ回路１８３Ａ及び１８３Ｂは、データ線に供給される画像データとパネル選択
信号とを入力信号とし、いずれかが排他的にオンになるように構成されている。ＡＮＤ回
路１８４Ａ及び１８４Ｂは、走査線に供給されるライン選択信号とパネル選択信号とを入
力信号とし、いずれかが排他的にオンになるように構成されている。同図に示す構成は、
パネル選択信号が“Ｌｏ”である場合に表示部１３Ａがアクティブとなり、パネル選択信
号が“Ｈｉ”である場合に表示部１３Ｂがアクティブとなるものである。
【００２６】
本実施形態の表示装置１０の構成は、以上のとおりである。この構成のもと、表示装置
１０は、使用者の操作に応じて画像を表示する。表示装置１０による表示動作は、使用者
によるページめくりの操作に応じた表示部１３Ｂの書き換えと、使用者による指示領域の
指示に応じた表示部１３Ａの書き換えの２つに大別される。なお、表示部１３Ａの書き換
えと表示部１３Ｂの書き換えとは、連動性を有さず、一方の書き換え動作とは無関係に他
方の書き換え動作が行われる。
【００２７】
表示装置１０は、複数ページの文書を表す画像を、表示部１３Ｂに１ページずつ表示す
る。使用者は、必要に応じて、ページめくりを行い、ページを進めたり戻したりする。使
用者は、表示部１３Ｂの画像を閲覧しつつ、表示部１３Ｂに表示された画像を抜き出す場
合に、抜き出したい画像を指示具２０により指示する。表示装置１０は、使用者による指
示を検知し、表示部１３Ｂの指示領域に表示されている画像の写しを表示部１３Ａに表示
する。使用者がページめくりを行いながらこのような指示動作を繰り返すと、表示装置１
０の表示部１３Ａには、表示部１３Ｂに表示された画像のうちの必要な画像のみが抜き出
され、一覧表示される。以下では、表示部１３Ｂから抜き出されて表示部１３Ａに表示さ
れる画像のことを、「コピー画像」という。
【００２８】
図７は、表示装置１０による表示動作に際して制御部１１が実行する処理を示すフロー
チャートである。制御部１１は、表示部１３Ｂを書き換えるか否かを判断する（ステップ
Ｓ１）。制御部１１は、ページめくりを表す操作情報を取得した場合に、表示部１３Ｂを
書き換える必要があると判断する。使用者によりページめくりの操作があった場合、制御
部１１は、ページめくりの操作に応じたページ（表示中のページの次のページか、あるい
は前のページ）の画像データを記憶部１６から読み出し、画像メモリー１４Ｂに記憶され
た画像データを記憶部１６から読み出した画像データに書き換える（ステップＳ２）。制
御部１１は、画像メモリー１４Ｂを書き換えたら、トリガー信号を駆動部１２に供給して
表示部１３Ｂの書き換えを行わせ、ページめくりの操作に応じたページの画像を表示部１
３Ｂに表示させる（ステップＳ３）。なお、制御部１１は、表示部１３Ｂを書き換えない
場合には、ステップＳ２及びＳ３の処理を行わずにステップＳ４以降の処理を実行する。
【００２９】
制御部１１は、表示部１３Ｂの書き換えを行いながら、使用者による指示位置の指定が
検知されたか否かを判断する（ステップＳ４）。すなわち、このとき制御部１１は、検知
部１５により指示位置が検知されたか否かを判断する。制御部１１は、検知部１５から検
知結果を取得した場合には、その検知結果が表す表示部１３Ｂ中の指示領域を特定する（
ステップＳ５）。また、制御部１１は、未表示領域情報に基づき、表示部１３Ａ中の未表
示領域を特定する（ステップＳ６）。
【００３０】
制御部１１は、指示領域及び未表示領域を特定すると、次に表示するコピー画像が１ペ
ージに収まるか否かを判断する（ステップＳ７）。この判断は、要するに、指示領域に相
当する領域を未表示領域に確保できるか否かを判断するものである。指示領域に相当する
領域を未表示領域に確保できる場合には、表示部１３Ａに表示するページを改めずに新た
なコピー画像を表示させ、そうでない場合には、表示部１３Ａに表示するページを改めて
、他のコピー画像が表示されていない状態の表示部１３Ａに新たなコピー画像を表示させ
る。
【００３１】
前者の場合は、他のコピー画像が表示されている表示領域に新たなコピー画像を追記す
るものである。よって、以下においては、前者の場合の動作のことを「追記モード」とい
う。また、後者の場合の動作のことを、以下においては「改ページモード」という。本実
施形態において、追記モードは、本発明における第２のモードに相当し、改ページモード
は、本発明における第１のモードに相当する。
【００３２】
追記モードにおいて、制御部１１は、ステップＳ５において特定された指示領域に基づ
き、コピー画像が表示されている位置（座標）を特定するとともに、ステップＳ６におい
て特定された未表示領域のうちのコピー画像を表示する領域の位置（座標）を特定する。
すなわち、制御部１１は、コピー元の座標とコピー先の座標とを特定する。制御部１１は
、これらの座標に基づき、コピーに伴う座標のシフト量とマスクすべきマスク領域とを特
定し（ステップＳ８）、シフト量及びマスク領域を表す情報を領域選択信号として駆動部
１２に供給する。駆動部１２は、この領域選択信号に基づいてマスカー１２２及びシフタ
ー１２３を動作させる。
【００３３】
一方、改ページモードにおいて、制御部１１は、改ページ動作を行う（ステップＳ９）
。ここにおいて、改ページ動作とは、画像メモリー１４Ａに記憶された画像データを読み
出し、これを新たな画像データに書き換える動作をいう。新たな画像データには、次に表
示するコピー画像、すなわちステップＳ５において特定された表示部１３Ｂ中の指示領域
に表示されている画像を含むものである。なお、制御部１１は、改ページ動作において、
ページを改める前の画像データ（すなわち書き換え前の画像データ）を記憶部１６に記憶
させてもよい。このようにすれば、表示部１３Ａについても、改ページ前の表示に戻すこ
とが可能になる。
【００３４】
制御部１１は、双方のモードに応じたステップＳ８又はＳ９の動作を行うと、表示部１
３Ａの表示を書き換える（ステップＳ１０）。ここにおいて、制御部１１は、トリガー信
号を駆動部１２に供給して駆動部１２を駆動可能な状態にするとともに、パネル選択信号
を切り換えることにより、アクティブな表示パネルを従前の表示部１３Ｂから表示部１３
Ａに変更する。また、制御部１１は、改ページモードの場合には、メモリー選択信号を切
り換え、画像データが読み出される画像メモリーを画像メモリー１４Ｂから画像メモリー
１４Ａに変更する。なお、追記モードの場合は、画像データが読み出される画像メモリー
が画像メモリー１４Ｂのままであるため、メモリー選択信号の切り換えは生じない。
【００３５】
制御部１１は、表示部１３Ａを書き換えたら、書き換え後の未表示領域を特定し、未表
示領域情報を更新する（ステップＳ１１）。未表示領域情報を更新したら、制御部１１は
、ステップＳ４以降の処理を繰り返し、表示部１３Ｂの書き換え（ステップＳ１〜Ｓ３）
と表示部１３Ａの書き換え（ステップＳ４〜Ｓ１１）とを繰り返す。
【００３６】
図８は、図７に示す処理を図で示したものである。まず、図８（ａ）に示すように、表
示部１３Ａに何も表示されていない状態（いわゆる白紙の状態）で表示部１３Ｂの一部が
指示されると、図８（ｂ）に示すように、指示領域（破線）の画像が表示部１３Ａにコピ
ーされる。図８に示す動作は、追記モードの動作である。表示部１３Ａにコピー画像を配
置するアルゴリズムは、特に限定されないが、例えば、表示部１３Ａの表示領域に対して
左詰めかつ上詰めになるようにコピー画像が配置され、なるべく空白の領域が生じないよ
うなものであるとよい。なお、コピー画像どうしの間隔は、適宜に定められればよい。
【００３７】
表示装置１０は、追記モードによるコピー画像の書き込みを繰り返すが、図８（ｃ）に
示すように表示部１３Ａの未表示領域が少なくなると、改ページモードで動作する。この
場合、表示装置１０は、図８（ｄ）に示すように、それまで表示されていた画像を消去し
、新たなコピー画像のみを表示する。その後、表示装置１０は、再び追記モードの動作を
繰り返す。
【００３８】
以上のとおり、本実施形態の表示装置１０によれば、表示部１３Ａにコピー画像を表示
させながら、表示部１３Ｂに表示される文書の改ページを行うことが可能である。よって
、使用者は、必要な画像を表示部１３Ａにコピーしておけば、当該必要な画像を改ページ
後に参照する場合に表示部１３Ｂのページめくりを行う必要がなくなり、かかる場合にお
ける表示部１３Ｂの書き換え回数を少なくすることができる。
【００３９】
本実施形態の構成は、特に、ページを飛ばしてページめくりを行えない表示装置におい
て格別な作用効果を奏する。例えば、表示装置１０において、表示部１３Ｂが文書の３ペ
ージ目を表示している場合に１ページ目に記載されていた事項を参照しようとするとき、
表示部１３Ｂを用いて１ページ目を参照しようとすれば、３ページから２ページに戻り、
さらに１ページに戻る動作が必要であり、２回の書き換えを必要とする。しかしながら、
この参照対象をコピー画像として表示部１３Ａに表示させておけば、表示部１３Ｂを書き
換えることなく参照対象を確認することができる。
【００４０】
また、本実施形態の表示装置１０によれば、表示部１３Ａ及び１３Ｂを駆動装置１００
により駆動することができる。よって、本実施形態の表示装置１０は、駆動に係る構成を
、表示部毎に備える場合に比べ簡単な構成とすることができる。また、本実施形態の表示
装置１０は、表示部１３Ａと表示部１３Ｂとが独立して駆動するため、一方が書き換えら
れるのに応じて他方も書き換えられるといった無駄な書き換えが生じない。
【００４１】
さらに、本実施形態の表示装置１０は、追記モードにおいて、表示部１３Ａの表示領域
の一部のみを駆動して新たなコピー画像を表示させることができるため、表示領域の全体
を駆動する場合に比べて電力や時間の消費を抑制することが可能である。また、表示装置
１０は、追記モードにおいては、画像メモリー１４Ａの書き換えを行うことなく、画像メ
モリー１４Ｂの記憶内容を利用して画像を表示することができる。
【００４２】
［変形例］
本発明は、上述した実施形態と異なる形態での実施が可能である。以下に示す変形例は
、本発明に適用可能な変形の一例である。上述した実施形態及び以下の変形例は、必要に
応じて、これらを組み合わせて適用してもよい。
【００４３】
（変形例１）
制御部１１は、追記モードによる表示において、駆動部１２を駆動させる前に画像メモ
リー１４Ａを書き換え、画像メモリー１４Ａが表す画像と表示部１３Ａに表示される画像
とが一致するようにしてもよい。この場合において、制御部１１は、表示部１３Ａの表示
領域を部分的に書き換えてもよいし、表示部１３Ａの表示領域の全体を書き換えるように
制御してもよい。なお、表示部１３Ａの部分的な書き換えを行わない場合、マスカー１２
２及びシフター１２３に相当する構成は不要である。
【００４４】
（変形例２）
本発明は、第１の画像メモリーに相当するメモリー（画像メモリー１４Ａ）を有しない
構成でも実施可能である。例えば、表示部１３Ａによる表示がコピー画像の表示のみであ
れば、画像メモリー１４Ｂに記憶されたデータに対してシフト処理及びマスク処理を行い
、表示部１３Ａを部分的に書き換えて新たなコピー画像のみを書き換えるようにすれば、
画像メモリー１４Ａを有しないでも表示部１３Ａによる表示を実現できる。
【００４５】
（変形例３）
上述した実施形態は、コピー画像を等倍で表示するものである。しかし、本発明は、コ
ピー画像をコピー元よりも縮小して表示させたり、あるいは拡大して表示させるものであ
ってもよい。コピー画像を縮小して表示させれば、第１の表示部に表示可能なコピー画像
の数を増やすことができ、また、第１の表示部の改ページの回数を少なくすることもでき
る。なお、画像の拡大又は縮小を行う場合には、レンダリングを再度行う必要がある。
【００４６】
また、コピー画像は、上述した実施形態においては表示部１３Ｂに表示された画像の一
部であるとしたが、表示部１３Ｂに表示された画像の全部であってもよい。つまり、本発
明でいうところのコピーは、あるページに表示された画像の一部を抜き出すものに限らず
、ページ全体を抜き出すものも含む。
【００４７】
（変形例４）
本発明において、第１の画像メモリーと第２の画像メモリーとは、物理的に別異のメモ
リーとして構成されてもよいが、単一のメモリーに対して第１の画像メモリーに相当する
記憶領域と第２の画像メモリーに相当する記憶領域とを分けて設けることにより、１つの
メモリーで構成されてもよい。また、第１の表示部と第２の表示部とについても、単一の
表示パネルを２つの領域に分けて用いるようにしてもよい。
【符号の説明】
【００４８】
１０…表示装置、１１…駆動部、１１１…選択部、１１２…指示領域特定部、１１３…操
作特定部、１１４…メモリー制御部、１１５…未表示領域特定部、１１６…駆動制御部、
１２…駆動部、１３Ａ、１３Ｂ…表示部、１４Ａ、１４Ｂ…画像メモリー、１５…検知部
、１６…記憶部、１７…操作部、１７１…操作子、１００…駆動装置、２０…指示具
【図１】
2010176057.tif 000003
【図２】
2010176057.tif 000004
【図３】
2010176057.tif 000005
【図４】
2010176057.tif 000006
【図５】
2010176057.tif 000007
【図６】
2010176057.tif 000008
【図７】
2010176057.tif 000009
【図８】
2010176057.tif 000010